(57)【要約】      （修正有）【課題】異なった本の厚さに対応するブックカバーの脱落と本へのダメージを回避し、使用性に優れた厚さ可変式ブックカバーを提供する。【解決手段】本の厚さにより可動する連結部分を持つ２つの部品からなるブックカバーを本の背表紙部分で連結させ、連結後に一方の連結末端部分を止め部材により固定することにより脱離しないようにしている。本の背表紙部分に配した可動な連結部分に保護カバーを取り付け、可動な連結部分の構造により本へ与えるダメージを緩和している。【選択図】図１
0003211021.tif 000002
【実用新案登録請求の範囲】
【請求項１】
可動な連結部分を持つ２つの部品からなるブックカバーを本の背表紙部分で連結させ、連結後に一方の連結末端部分を止め部材により固定することにより脱離しないようにしていることを特徴。
【請求項２】
連結部分を本の背表紙部分にし、且つ、保護カバーを取り付けることにより本へ与えるダメージを緩和していることを特徴とする。
【請求項３】
連結部分の接合は縫合の他にホック等の取り外し可能な部材の使用も可能とし、利用者に解りやすく提供できることも可能としていることを特徴とする。
【考案の詳細な説明】
【技術分野】
【０００１】
本考案は、本の厚さに対して可変的に対応する、ブックカバーに関するものである。
【背景技術】
【０００２】
通常、本の大きさは縦横の寸法は同じであっても厚さは本毎に異なる。異なった本の厚さに対応する市販のブックカバーは裏表紙側の折込みカバー部分の長さ調整により対応可能であるが、取り付け方法が煩雑で、本を傷つけてしまうことも多い。
【先行技術文献】
【特許文献】
【０００３】
【特許文献１】特開平９−２７７７４１  公報
【特許文献２】特開２００７−２６１２３０  公報
【特許文献３】特開２０１０−１６２８５５  公報
【考案の概要】
【考案が解決しようとする課題】
【０００４】
上記の（特許文献）においては、その形状から使用するブックカバーの材料によっては依然と してカバーの脱離の可能性が高く、長期間及び高頻度での使用には難があった。
【０００５】
また、（特許文献３）においては（特許文献１）と（特許文献２）の難点を改善した案が講じられたが、本の裏表紙をカバーに挿入する際に引っ掛かりが想定される。また、連結部分が本の裏表紙へダメージを与える可能性が高い。
【課題を解決するための手段】
【０００６】
本考案は、可動な連結部分を持つ２つの部品からなるブックカバーを本の背表紙部分で連結させ、連結後に一方の連結末端部分を止め部材により固定することにより脱離しないようにすることにより課題の一つを解決している。また、連結部分を本の背表紙部分にし、且つ、保護カバーを取り付けることにより本へ与えるダメージを回避することにより二つ目の課題も解決している。
【考案の効果】
【０００７】
上述の様に、本考案の厚さ可変式ブックカバーは本の背表紙部分を可動させることにより厚みのある本でも利用することができ、連結部分の一方を閉じることによりブックカバーの脱離を防ぐことができる。また、本の表紙部、裏表紙部をしっかりと固定することができるため、利用者を不快にさせるブックカバーのずれも防ぐことができ、本のしおり等を格納するポケットを表紙部、裏表紙部には設けることも可能となり、デザインの拡張性にも役立つ。
【図面の簡単な説明】
【０００８】
【図１】本考案の厚さ可変式ブックカバーの実施例を示す組み立て後の平面図
【図２】可変式ブックカバーの本体A部
【図３】可変式ブックカバーの本体B部
【図４】可変式ブックカバーの本体A部に取り付けるストッパー兼背表紙保護部
【図５】使用例
【考案を実施するための形態】
【０００９】
本考案の作製材料は、革、布、プラスチック系のビニール素材が適しており、紙材料には適さない。連結させるための挿入穴をあけた本体A部に本体Bの連結部を差し込み後にストッパー兼背表紙保護部を取り付けることにより、本体B部の連結部の長さの分だけ本の厚さに対して可動なブックカバーが出来上がる。
【実施例】
【００１０】
以下、添付図面に従って一実施例を説明する。１は本体A部であり、２は本体B部である。１には３の連結部を挿入する挿入口４を２つあける。この挿入項４の幅４ａはブックカバーの素材の厚さより若干大きい程度とし、長さ４ｂは本体Ｂ部の連結部３の３ｂの長さより若干大きい程度にする。この挿入口４に連結部３を外側から通し、５のストッパー兼背表紙保護部を連結部の末端に接合することにより、本の厚さに応じて３ａの長さだけ可動させることができる。
【００１１】
本体Ａ部１と本体Ｂ部２の６、７はそれぞれ本の裏表紙と表表紙を差し込むポケットであり、予めポケットの長さ６ａ分だけ大きく１と２を作成して織り込んでから上下部分を接合してもよいし、ポケットの大きさ分の部材を別に用意して同様に上下とブックカバーの縦の片側端部分を接合してポケット部を作製してもよい
【００１２】
挿入口４は１つ、もしくは３つ以上でも可能であれが、容易に可動させるためには２つもしくは３つが適切である。
【００１３】
連結部３とストッパー兼背表紙保護部５の接合は接着や縫合により接合してもよいが、ホック金具等で着脱可能な形式にすれば、作製が簡略化でき利用者にも解りやすい構造とすることができる。本実施例では縫合して接合した形態を示した。
【産業上の利用可能性】
【００１４】
本考案は厚さ可変式ブックカバーを製造する産業で利用される。
【符号の説明】
【００１５】
１     本体A部
２    本体B部
３    連結部
３ａ   連結部の長さ
３ｂ   連結部の幅
４    挿入口
４ａ   挿入口の寸法（幅）
４ｂ   挿入口の寸法（縦径）
５    ストッパー兼背表紙保護部
６    本体A部裏表紙差し込みポケット
６ａ   本体A部裏表紙差し込みポケットの寸法（横径）
７    本体B部表表紙差し込みポケット
７ａ   本体B部表表紙差し込みポケットの寸法（横径）
８    ストッパー兼背表紙保護部縫い代
８ａ   連結部縫い代
８ｂ   本体A部裏表紙差し込みポケット縫い代
８ｃ   本体B部表表紙差し込みポケット縫い代
９    使用例（厚さの薄い本使用時）
10   使用例（厚さの厚い本使用時）
【図１】
0003211021.tif 000003
【図２】
0003211021.tif 000004
【図３】
0003211021.tif 000005
【図４】
0003211021.tif 000006
【図５】
0003211021.tif 000007
【手続補正書】
【提出日】平成29年2月18日(2017.2.18)
【手続補正１】
【補正対象書類名】実用新案登録請求の範囲
【補正対象項目名】全文
【補正方法】変更
【補正の内容】
【実用新案登録請求の範囲】
【請求項１】
本の厚さにより可動する連結部分を持つ２つの部品からなるブックカバーを本の背表紙部分で連結させ、連結後に一方の連結末端部分を止め部材により固定することにより脱離しないようにしていることを特徴とする厚さ可変式ブックカバー。
【請求項２】
本の背表紙部分に配した可動な連結部分に保護カバーを取り付け、可動な連結部分の構造により本へ与えるダメージを緩和していることを特徴とする請求項1に記載の厚さ可変式ブックカバー。
【請求項３】
可動な連結部分の接合は縫合の他にマジックテープ（登録商標）による取り外し可能な部材を使用することにより、本体A部または本体B部が破損した場合に交換できることを可能としている請求項1及び請求項2に記載の厚さ可変式ブックカバー。
【手続補正書】
【提出日】平成29年4月12日(2017.4.12)
【手続補正１】
【補正対象書類名】実用新案登録請求の範囲
【補正対象項目名】全文
【補正方法】変更
【補正の内容】
【実用新案登録請求の範囲】
【請求項１】
本の厚さにより可動する連結部分を持つ２つの部品からなるブックカバーを本の背表紙部分で連結させ、連結後に一方の連結末端部分を止め部材により固定することにより脱離しないようにしていることを特徴とする厚さ可変式ブックカバー。
【請求項２】
本の背表紙部分に配した可動な連結部分に保護カバーを取り付け、可動な連結部分の構造により本へ与えるダメージを緩和していることを特徴とする請求項1に記載の厚さ可変式ブックカバー。